(57)【特許請求の範囲】
【請求項１】
複数の縦バーが支持部材を介して並列に連結されるとともに流路内に立設
されて該流路内の塵芥等を捕捉するバースクリーンであって、
前記支持部材は所定間隔で複数の溝部が形成されたくし歯部材からなり、
前記溝部に選択的に前記縦バーが嵌め込まれるとともに、その位置決めが前記溝部によってなされることによって、前記バースクリーンの目幅が選択的に調整可能とされていることを特徴とする目幅調整バースクリーン。
【請求項２】
複数の縦バーが支持部材を介して並列に連結されるとともに流路内に立設されて該流路内の塵芥等を捕捉するバースクリーンであって、
前記縦バーは、前記支持部材に対して固定された固定バーと、該固定バーの間に位置し、前記支持部材に対して前記縦バーの配列方向にスライド可能とされた可動バーとから構成されていることを特徴とする目幅調整バースクリーン。
【請求項３】
放流ゲートの閉時に、放流ゲートの上流側から下流側へ排水を行う排水ポンプを設けた放水路において、前記放流ゲートの上流側に配置された前記排水ポンプの吸い込み口の上流側に、請求項１または２に記載の目幅調整バースクリーンが配設されていることを特徴とする排水ポンプ保護システム。
【発明の詳細な説明】
【技術分野】
【０００１】
本発明は、例えば放水路等の流路内に設置され、この流路内を流れる流水中の塵芥等を捕捉するバースクリーン及びバースクリーンを備えた排水ポンプ保護システムに関する。
【背景技術】
【０００２】
一般に、放水路では、図１２に示すように、流路Ｒ内を流れる流水をせき止めることが可能なように開閉自在の放流ゲートＧを設置するとともに、放流ゲートＧの上流側の流路Ｒ内にバースクリーン１０を立設して、流路Ｒ内を流れる流水中の塵芥等を捕捉させ、放流ゲートＧの下流側の放流先へ、塵芥等が流出するのを防ぐことが狙われている。
【０００３】
このバースクリーン１０は、図１３に示すように、所定厚みを有する長尺の略長方形平板状をなす複数の縦バー１１が、その幅方向（図１３における奥行き方向）の略中央部を、略円柱状をなす複数の支柱１２（支持部材）に貫通されて並列に連結固定されたものであり、流水方向Ｔ（流路Ｒの上流側から下流側）に対して縦バー１１が並列に、かつ上下方向に延びるように配設されている。このとき、支柱１２によって固定された縦バー１１は、互いに所定間隔Ｌを介して位置しており、この所定間隔Ｌがバースクリーン１０における目幅Ｌとなる。
【０００４】
また、このような放水路においては、放流ゲートＧの下流側に位置する放流先の水位Ｈが増してくると、流路Ｒ内を流れる流水が上流側に逆流するのを防ぐために、放流ゲートＧを閉じて流路Ｒ内を流れる流水をせき止めた後、排水ポンプＰを利用して放流ゲートＧの上流側から下流側に位置する放流先への排水が行われる。
【発明の概要】
【発明が解決しようとする課題】
【０００５】
しかしながら、このような放水路に設置されるバースクリーン１０は、比較的目幅Ｌの大きいものが一般的であるため、この目幅Ｌをすり抜けてしまうような大きさの塵芥等を捕捉することはできなかった。例えば、上記のように放流ゲートＧの閉時において、排水ポンプＰを用いて放流ゲートＧの上流側から下流側への排水を行う場合には、排水ポンプＰが塵芥等によって閉塞してしまうおそれがあった。
【０００６】
また、このような排水ポンプＰの閉塞という問題を回避するために、目幅の小さいバースクリーンを設置することも考えられるが、排水ポンプＰを使用しない放流ゲートＧの開時における放流効率が低下してしまう。
さらに、目幅の大きいバースクリーンと目幅の小さいバースクリーンとを併設し、放流先の水位状態に合わせて、すなわち、放流ゲートＧの開閉（排水ポンプＰの使用・不使用）に合わせて選択して制御するのは、装置自体が大がかりになり易く、コスト的にも、スペース的にも、効率が悪かった。
【０００７】
本発明は、上記課題に鑑みてなされたもので、容易に目幅調整を可能とした目幅調整バースクリーン及び目幅調整バースクリーンを備えた排水ポンプ保護システムを提供することを目的とする。
【課題を解決するための手段】
【０００８】
本発明による請求項１に記載の目幅調整バースクリーンは、複数の縦バーが支持部材を介して並列に連結されるとともに流路内に立設されて該流路内の塵芥等を捕捉するバースクリーンであって、前記支持部材は所定間隔で複数の溝部が形成されたくし歯部材からなり、前記溝部に選択的に前記縦バーが嵌め込まれるとともに、その位置決めが前記溝部によってなされることによって、前記バースクリーンの目幅が選択的に調整可能とされていることを特徴とする。
このような構成とすると、くし歯部材に形成された複数の溝部に対して選択的に着脱バーを嵌め込むことで、縦バー同士の間隔を調節できて、所望の目幅を有するバースクリーンを得ることができる。
また、くし歯部材と縦バーといった簡略な構造の部材によってバースクリーンを構成することができる。
【０００９】
また、請求項２に記載の目幅調整バースクリーンは、複数の縦バーが支持部材を介して並列に連結されるとともに流路内に立設されて該流路内の塵芥等を捕捉するバースクリーンであって、前記縦バーは、前記支持部材に対して固定された固定バーと、該固定バーの間に位置し、前記支持部材に対して前記縦バーの配列方向にスライド可能とされた可動バーとから構成されていることを特徴とする。
このような構成とすると、必要に応じて可動バーを固定バーに対してスライドさせて、バースクリーンの目幅の調整を行うことができる。しかも、可動バーをそれぞれ独立してスライドさせることにより、バースクリーンの目幅を局所的に調整することもできる。
【００１０】
また、請求項２に記載の目幅調整バースクリーンにおいて、前記可動バーを一体に連結してなる可動スクリーン部を、前記固定バーを一体に連結してなる固定スクリーン部に対してスライドさせることにより、前記バースクリーンの目幅が調整可能とすることもできる。
このような構成とすると、必要に応じて可動スクリーン部を固定スクリーン部に対してスライドさせるだけで、容易にバースクリーンの目幅の調整を行うことができる。
【００１１】
また、請求項３に記載の排水ポンプ保護システムは、放流ゲートの閉時に、放流ゲートの上流側から下流側へ排水を行う排水ポンプを設けた放水路において、前記放流ゲートの上流側に配置された前記排水ポンプの吸い込み口の上流側に、請求項１または請求項２に記載の目幅調整バースクリーンが配設されていることを特徴とする。
このような排水ポンプ保護システムを用いると、排水ポンプを使用して排水を行う場合に、目幅調整スクリーンの目幅を小さくなるように調節することで、小さな塵芥等を捕捉することができる。
なお、請求項３に記載の排水ポンプ保護システムにおいて、請求項１または請求項２に記載の目幅調整バースクリーンに代えて、バースクリーンの目幅調整部材が取り付けられた既設のバースクリーンを目幅調整バースクリーンとして用いてもよい。
【発明の効果】
【００１２】
以上説明したように、請求項１に記載の目幅調整バースクリーンによれば、くし歯部材に形成された複数の溝部に対して選択的に着脱バーを嵌め込むことで、所望の目幅を有するバースクリーンを得ることができ、さらに、くし歯部材と縦バーといった簡略な構造物によって構成されているので、製作工程にかかる手間を省くことができる。
【００１３】
また、請求項２に記載の目幅調整バースクリーンによれば、可動バーを固定バーに対してスライドさせることにより、バースクリーンの目幅が調整可能とされているから、必要に応じて可動バーを固定バーに対してスライドさせて、バースクリーンの目幅の調整を行うことができる。
また、請求項３に記載の排水ポンプ保護システムによれば、排水ポンプの上流側に請求項１または請求項２に記載の目幅調整バースクリーンが配設されているから、排水ポンプを使用して排水を行う場合に、目幅調整スクリーンの目幅を小さくすることで、小さな塵芥等を捕捉することができ、排水ポンプの閉塞を防止することができる。
【図面の簡単な説明】
【００１４】
【図１】本第一実施形態によるバースクリーンの目幅調整部材が装着された既設のバースクリーンの要部拡大正面図である。
【図２】図１におけるＡ−Ａ線断面図である。
【図３】本第二実施形態によるバースクリーンの目幅調整部材が装着された既設のバースクリーンの要部拡大正面図である。
【図４】図３におけるＢ−Ｂ線断面図である。
【図５】本第三実施形態によるバースクリーンの目幅調整部材が装着された既設のバースクリーンの要部拡大正面図である。
【図６】図５におけるＣ−Ｃ線断面図である。
【図７】本第四実施形態による目幅調整バースクリーンの要部拡大斜視図である。
【図８】（ａ）は本第五実施形態による目幅調整バースクリーンにおいて目幅の大きい状態を示す正面図、（ｂ）は同目幅調整バースクリーンの目幅の小さい状態を示す正面図である。
【図９】（ａ）は図８（ａ）における要部拡大部分断面図、（ｂ）は図８（ｂ）における要部拡大部分断面図である。
【図１０】（ａ）は本第六実施形態による目幅調整バースクリーンにおいて目幅の大きい状態を示す正面図、（ｂ）は同目幅調整バースクリーンの目幅の小さい状態を示す正面図である。
【図１１】（ａ）は図１０（ａ）における要部拡大部分断面図、（ｂ）は図１０（ｂ）における要部拡大部分断面図である。
【図１２】放水路を示す説明図である。
【図１３】従来のバースクリーンを示す正面図である。
【発明を実施するための形態】
【００１５】
以下、本発明の実施形態を添付した図面を参照しながら説明するが、上述の先行技術と同一または同様の部分には同一の符号を用いてその説明を省略する。
なお、既設のバースクリーンに対して取り付けられるバースクリーンの目幅調整部材を本発明の第一〜第三実施形態とし、目幅調整バースクリーンを本発明の第四〜第六実施形態として説明する。
【００１６】
まず、本発明の第一実施形態によるバースクリーンの目幅調整部材について説明する。
図１は、本第一実施形態による目幅調整部材が装着された既設のバースクリーンを示す要部拡大正面図、図２は図１におけるＡ−Ａ線断面図である。
【００１７】
本第一実施形態によるバースクリーンの目幅調整部材２０は、図１及び図２に示すように、目幅Ｌで形成された既設のバースクリーン１０に対して取り付けられる着脱バー２１と、この着脱バー２１の位置決め及び固定を行う位置決め手段２３とを主として構成されている。
【００１８】
着脱バー２１は、所定厚みを有する長尺の略長方形平板状をなしていて、既設のバースクリーン１０における縦バー１１と概略同形状とされているが、縦バー１１において複数の支柱１２（支持部材）が貫通させられている箇所と対応する位置には、着脱バー２１の幅方向（図２における左右方向）に沿って一方の側に開口する複数の切り欠き２２が形成されている。
【００１９】
この切り欠き２２は、着脱バー２１の長尺方向（図１及び図２における上下方向）における幅が支柱１２の直径よりもわずかに大きいあるいは同一の大きさで、かつ、切り欠き２２の底部２２Ｂが支柱１２と同一の曲率半径を有する半円弧状をなすように形成されている。これにより、着脱バー２１を支柱１２に対して嵌め込むときに、支柱１２が切り欠き２２の開口部２２Ａを通過して底部２２Ｂに達するまで嵌め込むことが可能になる。
【００２０】
そして、上記のような構成とされた着脱バー２１が、縦バー１１を並列に固定している支柱１２に、複数の切り欠き２２を適合させて嵌め込まれる、すなわち、支柱１２を切り欠き２２の開口部２２Ａより挿入するようにして、切り欠き２２の半円弧をなす底部２２Ｂに当接するまで嵌め込む。これにより、既設のバースクリーン１０の隣合う縦バー１１同士の間にそれぞれ着脱バー２１が嵌め込まれ、並列に連結された縦バー１１同士の間に着脱バー２１が位置する状態となり、この後、着脱バー２１の位置決め及び固定が行われる。
【００２１】
ここで、着脱バー２１の位置決め及び固定を行う位置決め手段２３は、図１及び図２に示すように、略円柱状をなす支柱１２の外周面に沿うように湾曲されたＲ状曲げ板からなる当接部材２４と、略長方形平板状をなして着脱バー２１にボルト止めされる固定部材２５とからなり、両者の長手方向の中央部において互いに直交して交差するように一体に固定されている。
【００２２】
位置決め手段２３によって着脱バー２１を支柱１２に位置決め固定した状態においては、図１及び図２に示すように、Ｒ状曲げ板からなる当接部材２４が、隣合う縦バー１１同士の間に位置して、その支柱１２に沿うように湾曲形成された湾曲面２４Ａを支柱１２に当接させるとともに、長手方向における両端部分２４Ｂが、隣り合う縦バー１１同士の双方に当接した状態となっている。
そして、この当接部材２４の長手方向における略中央部に、縦バー１１の長尺方向と平行に延びるよう一体に固定された固定部材２５と、支柱１２に嵌め込まれた着脱バー２１とが、固定部材２５の両端部分を貫通する２つのボルト２６によって固定されることになる。
【００２３】
このようにして、着脱バー２１が隣り合う縦バー１１同士の間に嵌め込まれるとともに、位置決め手段２３によって、着脱バー２１が隣合う縦バー１１同士の間の間隔Ｌを２分する位置に縦バー１１と並列に位置決め及び固定される、すなわち、隣接する着脱バー２１と縦バー１１との間の間隔がＬ／２となるように位置決め及び固定される。これにより、目幅Ｌで形成された既設のバースクリーン１０が、目幅Ｌ／２のバースクリーン１０に目幅調整されることになる。
【００２４】
このような構成とされたバースクリーンの目幅調整部材２０によれば、流路Ｒ内に設置されている既設のバースクリーン１０に対して着脱バー２１の装脱を行うことによって容易に目幅の調整が可能になる、すなわち、既設のバースクリーン１０に対して、着脱バー２１を取り付けて位置決め手段２３によって位置決め及び固定することで、その目幅ＬをＬ／２に変更することができ、また、着脱バー２１を既設のバースクリーン１０から取り外すことによって、目幅Ｌ／２をＬに変更することができる。さらに、既設のバースクリーン１０をそのまま用いて目幅のみの変更が可能であるから、非常に経済的である。
しかも、本第一実施形態における目幅調整部材２０の位置決め手段２３として、Ｒ状曲げ板をなす当接部材２４が用いられていることから、この当接部材２４が隣り合う縦バー１１同士の双方に当接することで、着脱バー２１のズレを防止できるとともに、その取付剛性を高めることができる。
【００２５】
次に、本発明の第二実施形態によるバースクリーンの目幅調整部材について説明する。
図３は、本第二実施形態による目幅調整部材が装着された既設のバースクリーンを示す要部拡大正面図、図４は図３におけるＢ−Ｂ線断面図である。
なお、上述の第一実施形態によるバースクリーンの目幅調整部材２０とは、着脱バー２１の位置決め及び固定を行う位置決め手段２３を異にするものであるから、この位置決め手段のみについて説明を行い、同一または同様の部分についてはその説明を省略する。
【００２６】
本第二実施形態によるバースクリーンの目幅調整部材３０において、着脱バー２１の位置決め及び固定を行う位置決め手段３３は、図３及び図４に示すように、略長方形平板状をなして着脱バー２１にボルト止めされる固定部材３５と、この固定部材３５の長手方向の中央部に直立するように一体に固定された中空の円筒状をなす当接部材３４とからなり、この当接部材３４と固定部材３５との組み合わせを２組ずつ用いて、着脱バー２１の切り欠き２２が形成されている箇所付近をそれぞれ位置決め及び固定するものである。
【００２７】
位置決め手段３３によって着脱バー２１を支柱１２に位置決め固定した状態においては、図３及び図４に示すように、着脱バー２１の切り欠き２２の開口部２２Ａ側付近をその両側から２つの固定部材３５，３５で挟むようにして、固定部材３５，３５の長手方向の両端部分を貫通するボルト２６によって着脱バー２１と固定部材３５，３５とが一体にボルト止めされている。
【００２８】
そして、固定部材３５，３５の長手方向の中央部から直立するように固定されている円筒状の当接部材３４，３４がその先端面３４Ａ，３４Ａをそれぞれ縦バー１１，１１に当接させている。すなわち、当接部材３４，３４のリング状をなす先端面３４Ａ，３４Ａで縦バー１１，１１に当接しており、隣合う縦バー１１同士の双方に当接部材３４，３４が当接していることになる。
このようにして、着脱バー２１が隣り合う縦バー１１同士の間に嵌め込まれるとともに、位置決め手段３３によって、着脱バー２１が隣合う縦バー１１同士の間の間隔Ｌを２分する位置に縦バー１１と並列に位置決め及び固定される、すなわち、隣接する着脱バー２１と縦バー１１との間の間隔がＬ／２となるように位置決めされる。これにより、目幅Ｌで形成された既設のバースクリーン１０が、目幅Ｌ／２のバースクリーン１０に目幅調整されることになる。
【００２９】
このような構成とされたバースクリーンの目幅調整部材３０によれば、上述した第一実施形態と同様の効果に加え、その着脱バー２１を位置決め固定する位置決め手段３３の当接部材３４が円筒状をなすために、そのリング状の先端面３４Ａが縦バー１１に当接することになり、着脱バー２１のズレ防止効果を高く保つことができるとともに、着脱バー２１の取付剛性も高く保つことが可能になる。
【００３０】
次に、本発明の第三実施形態によるバースクリーンの目幅調整部材について説明する。
図５は、本第三実施形態による目幅調整部材が装着された既設のバースクリーンを示す要部拡大正面図、図６は図５におけるＣ−Ｃ線断面図である。
なお、上述の第一実施形態によるバースクリーンの目幅調整部材２０とは、着脱バー２１の位置決め及び固定を行う位置決め手段を異にするものであるから、この位置決め手段のみについて説明を行い、同一または同様の部分についてはその説明を省略する。
【００３１】
本第三実施形態によるバースクリーンの目幅調整部材４０において、着脱バー２１の位置決め及び固定を行う位置決め手段４３は概略コ字型板状をなしていて、図５及び図６に示すように、一方の側に開口する切り欠き４５Ａが形成された略長方形平板状をなし、着脱バー２１にボルト止めされる固定部材４５と、この固定部材４５の長手方向の両端に固定部材４５と直角をなして直立するように一体に固定された略長方形平板状の当接部材４４，４４とからなる。そして、この当接部材４４，４４と固定部材４５との組み合わせを２組ずつ用いて、着脱バー２１の切り欠き２２が形成されている箇所付近をそれぞれ位置決め及び固定するものである。
【００３２】
位置決め手段４３によって着脱バー２１を支柱１２に位置決め固定した状態においては、図５及び図６に示すように、固定部材４５の一方の側に設けられた切り欠き４５Ａを着脱バー２１の切り欠き２２とは逆の方向から嵌め込むとともに、着脱バー２１の切り欠き２２の開口部２２Ａ側部分をその両側から２つの固定部材４５，４５で挟むようにし、固定部材４５，４５の長手方向の両端部分を貫通するボルト２６によって着脱バー２１と固定部材４５，４５とが一体にボルト止めされている。
【００３３】
そして、固定部材４５，４５の長手方向の両端から直立するように固定されている略長方形平板状の当接部材４４，４４，４４，４４がその先端面４４Ａ，４４Ａ，４４Ａ，４４Ａをそれぞれ縦バー１１，１１に当接させている。すなわち、当接部材４４，４４，４４，４４の所定幅を有する直線状の先端面４４Ａ，４４Ａ，４４Ａ，４４Ａで縦バー１１，１１に当接しており、隣合う縦バー１１同士の双方に当接部材４４，４４，４４，４４が４カ所で当接していることになる。
このようにして、着脱バー２１が隣り合う縦バー１１同士の間に嵌め込まれるとともに、位置決め手段４３によって、着脱バー２１が隣合う縦バー１１同士の間の間隔Ｌを２分する位置に縦バー１１と並列に位置決め及び固定される、すなわち、隣接する着脱バー２１と縦バー１１との間の間隔がＬ／２となるように位置決めされる。これにより、目幅Ｌで形成された既設のバースクリーン１０が、目幅Ｌ／２のバースクリーン１０に目幅調整されることになる。
【００３４】
このような構成とされたバースクリーンの目幅調整部材４０によれば、上述した第一実施形態と同様の効果に加え、その着脱バー２１を位置決め固定する位置決め手段４３の当接部材４４が、着脱バー２１の一つの切り欠き２２付近に合計４カ所の縦バー１１に対する当接箇所を有しているから、着脱バー２１のズレをより安定して効果的に防止することができるとともに、着脱バー２１の取付剛性もより高く保つことが可能になる。
【００３５】
なお、本発明において、着脱バー２１の位置決め手段は、上述した第一〜第三実施形態で説明したような形状にとらわれることなく、着脱バー２１の位置決め及び固定を行うものであれば、いかなる形状を有していてもよいが、位置決め手段が、縦バー１１に当接して、着脱バー２１のズレを防止する当接部材を備えていることが好ましい。
【００３６】
また、第一〜第三実施形態においては、縦バー１１同士の間にそれぞれ嵌め込まれる着脱バー２１を１本のみとし、バースクリーン１０の目幅ＬをＬ／２に調整可能としたが、これに限定されることなく、縦バー１１同士の間にそれぞれ複数本の着脱バー２１を嵌め込むことにより、さらに、目幅を小さく変更可能にしてもよい。例えば、縦バー１１同士の間に、それぞれ２本ずつの着脱バー２１を嵌め込むことにより、その目幅ＬをＬ／３となるように変更してもよい。このような縦バー１１同士の間に、複数本の着脱バー２１を嵌め込む場合であっても、その位置決め手段が固定部材と当接部材とからなることが好ましいことは言うまでもない。
【００３７】
次に、本発明の第四実施形態による目幅調整バースクリーンについて説明する。
図７は、本第四実施形態による目幅調整バースクリーンを示す要部拡大斜視図である。
本第四実施形態による目幅調整バースクリーン５０は、図７に示すように、所定厚みを有する長尺の略長方形平板状をなす複数の縦バー５１が支持部材を介して並列に連結されたものであり、この支持部材は、長尺の略長方形平板状をなしていて、長尺方向の所定間隔Ｍごとに、幅方向に沿って一方の側に開口するように切り込まれた複数の溝部５２Ａを有するくし歯部材５２をなしている。
また、このくし歯部材５２に嵌め込まれる縦バー５１は、所定厚みを有する長尺の略長方形平板状をなしていて、くし歯部材５２の溝部５２Ａに嵌め込まれる箇所に対応して、幅方向に沿って一方の側に開口する溝部５１Ａが複数形成されている。
【００３８】
くし歯部材５２に形成された溝部５２Ａは、このくし歯部材５２に嵌め込まれる縦バー５１の所定厚みと同一あるいはわずかに大きい幅を有し、かつ、縦バー５１に形成された溝部５１Ａも、くし歯部材５２の所定厚みと同一あるいはわずかに大きい幅を有している。
そして、縦バー５１の幅方向の一方の側に開口する溝部５１Ａをくし歯部材５２に形成された溝部５２Ａに噛み合わせるようにし、くし歯部材５２と縦バー５１とが互いに直交するように嵌め込むことになる。
また、縦バー５１をくし歯部材５２から取り外す際には、縦バー５１をくし歯部材５２に嵌め込んだ方向とは逆向きに抜き取ることによって、取り外すことができる。
【００３９】
このような構成とされた目幅調整バースクリーン５０によれば、くし歯部材５２に所定間隔Ｍごとに形成された溝部５２Ａに縦バー５１を選択的に嵌め込むことによって容易に所望の目幅を有するバースクリーンを得ることができる。
具体的には、くし歯部材５２の溝部５２Ａすべてに縦バー５１を嵌め込むと、縦バー５１同士の間隔がＭとなって、目幅Ｍのバースクリーンを得ることができ、さらに、くし歯部材５２の溝部５２Ａを一つおきに選択して縦バー５１を嵌め込むと、縦バー５１同士の間隔が２Ｍとなり、目幅２Ｍのバースクリーンを得ることができる。このように、バースクリーンの目幅をＭの倍数となる値に変更可能であり、設計時に、このくし歯部材５２において溝部５２Ａの形成される所定間隔Ｍを適宜設定することで、あらゆる目幅のバースクリーンを得ることができる。
【００４０】
なお、本第四実施形態による目幅調整バースクリーン５０が流路Ｒ内に設置される際には、くし歯部材５２における溝部５２Ａの開口方向が、流水方向Ｔの上流側を向いていることが好ましく、流れてくる流水によって縦バー５１が押圧されるので、くし歯部材５２から縦バー５１が外れてしまうおそれを少なくすることができる。
【００４１】
次に、本発明の第五実施形態による目幅調整バースクリーンについて説明する。
図８は、本第五実施形態による目幅調整バースクリーンの正面図、図９は、図８における要部拡大部分断面図である。
本第五実施形態による目幅調整バースクリーン６０は、図８及び図９に示すように、所定厚みを有する略長方形平板状をなす複数の縦バー６１が略円柱状をなす支柱６２（支持部材）を介して並列に連結されたものである。
ここで、支柱６２を介して連結された複数の縦バー６１は、支柱６２に所定間隔Ｌ毎に固定されていて支柱６２に対して移動不可能とされた固定バー６１Ａと、その固定バー６１Ａ同士の間に１本ずつ設けられていて、縦バー６１の配列方向に横スライド可能とされた可動バー６１Ｂとから構成されている。
【００４２】
この固定バー６１Ａは、その幅方向（図８及び図９における奥行き方向）の略中央部を、略円柱状をなす複数の支柱６２に貫通させられて固定されたものであり、これに対し、可動バー６１Ｂは、図９の部分断面図で示されるように、例えば、その幅方向の略中央部に支柱６２より大きい径を有する孔部６３が形成されていて、この孔部６３を支柱６２に貫通させることにより、支柱６２に対して固定されないで、固定バー６１Ａ同士の間で横スライドが可能な状態とされたものである。
さらに、可動バー６１Ｂの孔部６３の周縁部には、その周縁部から直立するような中空の円筒状をなす位置決め部材６４が形成されており、可動バー６１Ｂの所定距離以上の横スライドが行われないようになっている。
【００４３】
複数の縦バー６１のうち、所定間隔Ｌで支柱６２に固定されている固定バー６１Ａは、支柱６２によって互いに連結されて固定スクリーン部Ｘとされている。
また、これら固定バー６１Ａ同士の間に位置している可動バー６１Ｂは、図示しない何らかの固定手段で互いに連結されていて、支柱６２に対して一体的に横スライドが可能、すなわち、固定スクリーン部Ｘに対して横スライド可能となった可動スクリーン部Ｙとされている。
【００４４】
このような構成とされた目幅調整バースクリーン６０は、通常の目幅の大きいバースクリーンとして用いる場合には、図８（ａ）及び図９（ａ）に示すように、可動スクリーン部Ｙを構成する可動バー６１Ｂが、固定スクリーン部Ｘを構成する固定バー６１Ａとそれぞれ密接した状態とすればよく、この状態においては、目幅Ｌで形成されたバースクリーンをなす。
そして、これより目幅の小さいバースクリーンとして用いる必要が生じた場合には、図８（ｂ）及び図９（ｂ）に示すように、可動スクリーン部Ｙを、固定スクリーン部Ｘに対して、図示しない何らかのスライド手段（手作業あるいは機械的作業）によって、位置決め部材６４が一方の固定バー６１Ａに接触するまで横スライドさせることにより、可動スクリーン部Ｙを構成する可動バー６１Ｂを、それぞれ固定バー６１Ａ同士の間の中間地点まで移動させることができて、その目幅をＬ／２としたバースクリーンを得ることができる。
また、このとき、上記スライド手段は、可動スクリーン部Ｙの固定スクリーン部Ｘに対するスライド距離を適宜設定できるような制御手段を備えていてもよい。
【００４５】
上記のような目幅調整バースクリーン６０によれば、可動スクリーン部Ｙを固定スクリーン部Ｘに対して横スライドさせるだけで、可動バー６１Ｂが固定バー６１Ａ同士の中間に位置するような状態にでき、容易にバースクリーンの目幅の調整を行うことができる。
【００４６】
なお、本第五実施形態による目幅調整バースクリーン６０においては、可動バー６１Ｂを図示しない固定手段によって一体に連結して可動スクリーン部Ｙを形成した。しかし、これに限定されることなく、可動バー６１Ｂを互いに一体に連結せずに、可動バー６１Ｂがそれぞれ独立して縦バー６１の配列方向に横スライド可能とされていてもよい。
この場合、例えば、特定の可動バー６１Ｂを横スライドさせると、その横スライドさせられた可動バー６１Ｂの箇所のみが目幅Ｌ／２となり、目幅Ｌのバースクリーンにおいて、局所的に目幅Ｌ／２となる部分を形成することもできる。
【００４７】
また、本第五実施形態による目幅調整バースクリーン６０においては、固定スクリーン部Ｘに対して移動可能とされた可動スクリーン部Ｙを１つとしたが、これに限定されることなく、２つ以上の可動スクリーン部Ｙを有していてもよい。
例えば、所定間隔Ｌで支柱６２に固定された固定バー６１Ａ同士の間に、２本ずつの可動バー６１Ｂを位置させていて、その２本の可動バー６１Ｂのそれぞれが独立にスライド可能な第一可動スクリーン部，第二可動スクリーン部を構成するようにすれば、目幅ＬをＬ／２あるいはＬ／３と調整可能とすることができる。
【００４８】
次に、本発明の第六実施形態による目幅調整バースクリーンについて説明する。
図１０は、本第六実施形態による目幅調整バースクリーンの正面図、図１１は、図１０における要部拡大部分断面図である。
なお、上述の第五実施形態による目幅調整バースクリーン６０と同一または同様の部分については、同一の符号を用いてその説明を省略する。
【００４９】
本第六実施形態による目幅調整バースクリーン７０は、図１０及び図１１に示すように、複数の縦バー６１が支柱６２（支持部材）を介して並列に連結されたものであるが、支柱６２同士の間に、支柱６２と概略同形状の可動支柱６２Ａが、支柱６２と並列に配列されるように位置しているものである。
ここで、支柱６２を介して連結された複数の縦バー６１は、上記第五実施形態と同様に、支柱６２に所定間隔Ｌ毎に固定されていて支柱６２に対して移動不可能とされた固定バー６１Ａと、その固定バー６１Ａ同士の間に１本ずつ設けられていて、縦バー６１の配列方向に横スライド可能とされた可動バー６１Ｂとから構成されている。
そして、上記可動支柱６２Ａによって可動バー６１Ｂが互いに一体に連結されて可動スクリーン部Ｙが形成されるとともに、上記支柱６２によって固定バー６１Ａが互いに一体に連結されて固定スクリーン部Ｘが形成される。
【００５０】
また、図１１の部分断面図で示されるように、例えば、可動バー６１Ｂは、その幅方向の略中央部に支柱６２より大きい径を有する孔部６３が形成されていて、この孔部６３を支柱６２に貫通させることにより、可動バー６１Ｂが支柱６２に固定されないようにし、さらに、固定バー６１Ａにも、その幅方向の略中央部に可動支柱６２Ａより大きい径を有する孔部が形成されていて、この孔部を可動支柱６２Ａに貫通させることにより、固定バー６１Ａが可動支柱６２Ａに固定されないようにしており、これにより、可動支柱６２Ａによって連結された可動バー６１Ｂからなる可動スクリーン部Ｙが、固定スクリーン部Ｘに対して横スライド可能な状態とされたものである。
さらに、可動バー６１Ｂの孔部６３の周縁部には、位置決め部材６４が形成されており、可動バー６１Ｂの所定距離以上の横スライドが行われないようになっている。
【００５１】
このような構成とされた目幅調整バースクリーン７０は、通常の目幅の大きいバースクリーンとして用いる場合には、図１０（ａ）及び図１１（ａ）に示すように、可動スクリーン部Ｙを構成する可動バー６１Ｂを、固定スクリーン部Ｘを構成する固定バー６１Ａにそれぞれ密接させて、目幅Ｌのバースクリーンをなすようにし、そして、これより目幅の小さいバースクリーンとして用いる必要が生じた場合には、図１０（ｂ）及び図１１（ｂ）に示すように、可動スクリーン部Ｙを、固定スクリーン部Ｘに対して、上記第五実施形態と同様のスライド手段によって横スライドさせることにより、可動スクリーン部Ｙを構成する可動バー６１Ｂを、それぞれ固定バー６１Ａ同士の間の中間地点まで移動させることができて、その目幅をＬ／２としたバースクリーンを得ることができる。
【００５２】
上記のような目幅調整バースクリーン７０によれば、上述の第五実施形態と同様に、可動スクリーン部Ｙを固定スクリーン部Ｘに対して横スライドさせるだけで、可動バー６１Ｂが固定バー６１Ａ同士の中間に位置するような状態にでき、容易にバースクリーンの目幅の調整を行うことができる。
【００５３】
なお、本第六実施形態においては、支柱６２と可動支柱６２Ａとが交互に配列されているが、これに限定されることなく、可動支柱６２Ａの位置及び本数は任意に設定してよい。また、２つ以上の可動スクリーン部Ｙを有していてもよいことは言うまでもない。
【００５４】
また、上述した本発明の第四乃至第六実施形態のいずれかによる目幅調整バースクリーン５０，６０，７０を、図１２で示されるような、放流ゲートＧの閉時に、放流ゲートＧの上流側から下流側へ排水を行う排水ポンプＰを設けた放水路において、放流ゲートＧの上流側に配置された排水ポンプＰの吸い込み口の上流側に配設した場合、放流ゲートＧを開放状態として排水ポンプＰを使用しない場合には、目幅の大きい目幅調整バースクリーン５０，６０，７０として用い、一方、放流ゲートＧを閉鎖状態として排水ポンプＰを使用して排水を行うような場合には、すぐさま目幅調整バースクリーン５０，６０，７０の目幅を小さく調整すればよい。
【００５５】
このような構成の排水ポンプ保護システムを用いると、排水ポンプＰの使用・不使用に応じて、容易にバースクリーンの目幅を変更可能にでき、排水ポンプＰの不使用時には、大きな目幅のバースクリーンとして用いて不必要に放流効率を落とすことがなく、排水ポンプＰの使用時には、バースクリーンの目幅を小さく調整して、小さな塵芥等も捕捉することにより、排水ポンプＰが閉塞してしまうおそれを少なくすることができる。
【符号の説明】
【００５６】
１０  バースクリーン
１１  縦バー  
１２  支柱  
２０，３０，４０  バースクリーンの目幅調整部材
２１  着脱バー  
２２  切り欠き  
２３，３３，４３  位置決め手段  
２４，３４，４４  当接部材  
２５，３５，４５  固定部材  
５０  目幅調整バースクリーン  
５１  縦バー  
５１Ａ  溝部  
５２  くし歯部材  
５２Ａ  溝部  
６０，７０  目幅調整バースクリーン  
６１  縦バー  
６１Ａ  固定バー  
６１Ｂ  可動バー  
６２  支柱  
６２Ａ  可動支柱  
Ｘ  固定スクリーン部  
Ｙ  可動スクリーン部
【図１】
0004828622.tif 000002
【図２】
0004828622.tif 000003
【図３】
0004828622.tif 000004
【図４】
0004828622.tif 000005
【図５】
0004828622.tif 000006
【図６】
0004828622.tif 000007
【図７】
0004828622.tif 000008
【図８】
0004828622.tif 000009
【図９】
0004828622.tif 000010
【図１０】
0004828622.tif 000011
【図１１】
0004828622.tif 000012
【図１２】
0004828622.tif 000013
【図１３】
0004828622.tif 000014